(57)【要約】【課題】デュアルプロセッサを具えたマルチメディアコンピュータシステムとそのマルチメディアインスタントプレイ方法の提供。【解決手段】マルチメディア再生制御モジュールがバスでコンピュータ装置に接続された第２マイクロプロセッサを有し、マルチメディア起動及び再生システムメモリが、該第２マイクロプロセッサに接続されてＯＳとそのコアプログラムを保存し、指定のマルチメディア再生装置に接続されたインスタントキーが、インスタントキーインタフェース回路を介して該第２マイクロプロセッサに接続され、第２マイクロプロセッサがインスタントキーの被操作を検出すると、該マルチメディア起動及び再生システムメモリ中より第２ＯＳのコアプログラムをロードして実行し、操作されたインスタントキーに対応するマルチメディア再生装置の駆動プログラム及びマルチメディア再生装置のアプリケーションプログラムをロード及び実行する。【選択図】図１
2007052764.tif 000002
【特許請求の範囲】
【請求項１】
デュアルプロセッサを具えたマルチメディアコンピュータシステムにおいて、
第１マイクロプロセッサと、該第１マイクロプロセッサに接続されたデータ保存媒体、システムメモリ、基本入出力システム及びバスを包含し、該データ保存媒体中に第１オペレーションシステムが保存された、コンピュータ装置と、
該バスを介して該コンピュータ装置に接続された、少なくとも一つのマルチメディア再生装置と、
該バスを介して該コンピュータ装置に接続されて少なくとも一種類のマルチメディアデータを読み取る、少なくとも一つのマルチメディアデータ読み取り装置と、
マルチメディア再生制御モジュールであって、
該バスを介して該コンピュータ装置に接続された第２マイクロプロセッサと、
該第２マイクロプロセッサに接続されると共に、第２オペレーションシステムのコアプログラムが保存されたマルチメディア起動及び再生システムメモリと、
該第２マイクロプロセッサに接続されたマルチメディア再生バッファメモリと、
インスタントキーインタフェース回路を介して該第２マイクロプロセッサに接続され、各インスタントキーが指定されたマルチメディア再生装置に対応する、少なくとも一つのインスタントキーと、
を包含する上記マルチメディア再生制御モジュールと、
を包含し、第２マイクロプロセッサが任意のインスタントキーが押圧操作されたことを検出した時、第２マイクロプロセッサがマルチメディア起動及び再生システムメモリ中より第２オペレーションシステムのコアプログラムをマルチメディア再生バッファメモリ中にロードし実行し、並びに操作されたインスタントキーが対応するマルチメディア再生装置の駆動プログラム及びマルチメディア再生装置のアプリケーションプログラムをロードし実行することを特徴とする、デュアルプロセッサを具えたマルチメディアコンピュータシステム。
【請求項２】
請求項１記載のデュアルプロセッサを具えたマルチメディアコンピュータシステムにおいて、マルチメディアデータ読み取り装置がオーディオＣＤ読み取り装置、デジタル音楽読み取り装置、オーディオビデオディスク読み取り装置、或いはテレビ信号受信装置のいずれか或いはその組合せを包含したことを特徴とする、デュアルプロセッサを具えたマルチメディアコンピュータシステム。
【請求項３】
請求項１記載のデュアルプロセッサを具えたマルチメディアコンピュータシステムにおいて、インスタントキーが対応するマルチメディア再生装置の駆動プログラムとマルチメディア再生装置のアプリケーションプログラムがマルチメディア再生制御モジュールのマルチメディア起動及び再生システムメモリ中に保存されたことを特徴とする、デュアルプロセッサを具えたマルチメディアコンピュータシステム。
【請求項４】
請求項１記載のデュアルプロセッサを具えたマルチメディアコンピュータシステムにおいて、インスタントキーが対応するマルチメディア再生装置の駆動プログラムとマルチメディア再生装置のアプリケーションプログラムが前記コンピュータ装置のデータ保存媒体中に保存されたことを特徴とする、デュアルプロセッサを具えたマルチメディアコンピュータシステム。
【請求項５】
コンピュータシステムのマルチメディアインスタントプレイ方法において、コンピュータ装置中に第１マイクロプロセッサと、該第１マイクロプロセッサに接続されたデータ保存媒体、システムメモリ、基本入出力システム、少なくとも一つのマルチメディア再生装置、バスがあり、該データ保存媒体中に第１オペレーションシステムが保存され、該コンピュータ装置にマルチメディア再生制御モジュールが接続され、且つ該マルチメディア再生制御モジュール中に第２マイクロプロセッサ、第２オペレーションシステムのコアプログラムを保存したマルチメディア起動及び再生システムメモリ、マルチメディア再生バッファメモリ、及び該第２マイクロプロセッサに接続された少なくとも一つのインスタントキーがあり、各インスタントキーが指定されたマルチメディア再生装置に対応し、この方法は、
（ａ）該インスタントキーの被操作状態を検出するステップ、
（ｂ）該インスタントキーが操作されたことを検出した時、該第２マイクロプロセッサがマルチメディア起動及び再生システムメモリ中より第２オペレーションシステムのコアプログラムをマルチメディア再生バッファメモリ中にロードし並びに実行するステップ、  （ｃ）操作されたインスタントキーに対応するマルチメディア再生装置の駆動プログラム及びマルチメディア再生装置のアプリケーションプログラムをロード及び実行するステップ、
（ｄ）操作されたインスタントキーに対応するマルチメディア再生装置を動作させるステップ、
を包含することを特徴とする、コンピュータシステムのマルチメディアインスタントプレイ方法。
【請求項６】
請求項５記載のコンピュータシステムのマルチメディアインスタントプレイ方法において、（ｃ）のステップで、インスタントキーが対応するマルチメディア再生装置の駆動プログラム及びマルチメディア再生装置のアプリケーションプログラムを前記コンピュータ装置のデータ保存媒体中よりロードすることを特徴とする、コンピュータシステムのマルチメディアインスタントプレイ方法。
【請求項７】
請求項５記載のコンピュータシステムのマルチメディアインスタントプレイ方法において、（ｃ）のステップで、インスタントキーが対応するマルチメディア再生装置の駆動プログラム及びマルチメディア再生装置のアプリケーションプログラムを前記マルチメディア再生制御モジュール中のマルチメディア起動及び再生システムメモリ中よりロードすることを特徴とする、コンピュータシステムのマルチメディアインスタントプレイ方法。
【発明の詳細な説明】
【技術分野】
【０００１】
本発明は一種のコンピュータマルチメディア装置の起動の方法に係り、特にデュアルプロセッサを具えたマルチメディアコンピュータシステムとそのマルチメディアインスタントプレイ方法に関する。
【背景技術】
【０００２】
コンピュータ技術中にあって、伝統的には、同一のコンピュータ装置中に一つのオペレーションシステム（ＯＳ）をインストールし、コンピュータ起動時に、システム基本起動プロセスを完成した後、ハードディスク中のオペレーションシステムをロード及び実行し、並びに装置駆動プログラム及び指定のアプリケーションプログラムをロード及び実行する。
【０００３】
コンピュータ装置の機能が増強され、コンピュータ装置の応用領域が広がるにつれ、コンピュータメーカーは異なるコンピュータ機能を設計して実際の要求に対応している。例えば、典型的な応用は、コンピュータ装置を家電設備或いはマルチメディアオーディオビデオ再生装置に結合し、機能が向上されたコンピュータシステムを設計する。
【発明の開示】
【発明が解決しようとする課題】
【０００４】
しかし、コンピュータ装置と家電設備或いはマルチメディア再生装置の間は、各自のハードウエア構造設計と機能訴求に違いがあるため、家電設備或いはマルチメディア再生装置を整合させたコンピュータシステムにあって、そのコンピュータシステムの起動時間は一般の家電設備或いはマルチメディア再生装置（例えばＣＤプレイヤー或いはＤＶＤプレイヤー）の操作方式のような即時起動はできない。
【０００５】
一般のユーザーがパーソナルコンピュータを使用する時、パーソナルコンピュータの全ての機能を使用する人はめったになく、通常はそのうちの一つの機能、例えば、パーソナルコンピュータで音楽を聴くか、或いはテレビを観るか或いは映画を観る機能のみを実行する。ただしユーザーが該マルチメディア再生機能或いは家電設備の機能を実行する時には、必ずコンピュータシステムを起動し並びにコンピュータシステムに基本入出力システムプログラム起動、ＰＯＳＴ（パワーオンセルフテスト）プログラム、周辺設備検出及び駆動、操作システム起動などの全てのプロセスを完成してからでなければ、該マルチメディア再生機能を実行できない。
【０００６】
パーソナルコンピュータ起動時間を短縮する伝統的な方法は、原ハードディスク中のオペレーションシステムのほかに、第２のオペレーションシステムをそのハードディスクの別のセクタ内にインストールし、マルチメディア再生或いは情報家電機能を提供すると共に、起動時間を短縮する、というものである。
【０００７】
しかし、上述の方法を採用すると、ユーザーにコンピュータ装置の正常起動実行か、マルチメディア再生或いは情報家電機能の実行かの選択を提供できるが、但しコンピュータシステムがオペレーションシステム起動時に、該コンピュータシステムがハードディスクのデータにアクセスする時、ハードディスクデータアクセス速度に極めて大きな制限を受ける。
【０００８】
更に、コンピュータ装置がマルチメディア再生機能（例えばオーディオＣＤ、デジタル音楽、オーディオビデオディスク、或いはテレビの再生機能）を実行する時、そのマルチメディアデータ量はいずれも非常に大きく、コンピュータ装置のマイクロプロセッサはこのマルチメディアデータアクセス処理のために相当大きなリソースを消耗する。このため、該コンピュータ装置がその他の事件を処理する速度が大きな影響を受け、且つシステムの安定性が悪くなる。
【０００９】
このため、本発明の主要な目的は、コンピュータシステムのマルチメディアインスタントプレイ方法を提供して、ユーザーがコンピュータシステムのマルチメディア再生機能を実行する時に、高速な方式で実行できるようにすることにある。
【００１０】
本発明の別の目的は、デュアルプロセッサを具えたマルチメディアコンピュータシステムを提供し、それぞれのマイクロプロセッサがコンピュータオペレーションシステムの操作を請け負い、一方のマイクロプロセッサがマルチメディアオペレーションシステムの操作を請け負い、こうして周知のマルチメディアコンピュータ装置がマルチメディア機能実行時のマイクロプロセッサの負担が大きくなりすぎて、速度が緩慢となり、システム不安定がもたらされる問題を克服できるようにすることにある。
【００１１】
本発明が周知の技術の問題を解決するために採用する技術手段は以下のようである。即ち、コンピュータ装置中にマルチメディア再生制御モジュールが接続され、該マルチメディア再生制御モジュールはバスで該コンピュータ装置に接続された第２プロセッサを包含する。マルチメディア起動及び再生システムメモリが該第２マイクロプロセッサに接続されると共に、オペレーションシステムとそのコアプログラムを保存している。少なくとも一つのインスタントキーが、インスタントキーインタフェースを介して該第２マイクロプロセッサに接続され、各インスタントキーはそれぞれ一つのマルチメディア読み取り装置に対応する。第２マイクロプロセッサがインスタントキーが操作されたことを検出すると、該マルチメディア起動及び再生システムメモリ中より第２オペレーションシステムのコアプログラムをロードして実行し、操作されたインスタントキーに対応するマルチメディア再生装置の駆動プログラム及びマルチメディア再生装置のアプリケーションプログラムをロード及び実行する。該インスタントキーが対応するマルチメディア再生装置の駆動プログラム及びマルチメディア再生装置のアプリケーションプログラムは該コンピュータ装置中のデータ保存媒体中に保存可能であるほか、マルチメディア再生制御モジュールのマルチメディア起動及び再生システムメモリ中に保存可能である。
【課題を解決するための手段】
【００１２】
請求項１の発明は、デュアルプロセッサを具えたマルチメディアコンピュータシステムにおいて、
第１マイクロプロセッサと、該第１マイクロプロセッサに接続されたデータ保存媒体、システムメモリ、基本入出力システム及びバスを包含し、該データ保存媒体中に第１オペレーションシステムが保存された、コンピュータ装置と、
該バスを介して該コンピュータ装置に接続された、少なくとも一つのマルチメディア再生装置と、
該バスを介して該コンピュータ装置に接続されて少なくとも一種類のマルチメディアデータを読み取る、少なくとも一つのマルチメディアデータ読み取り装置と、
マルチメディア再生制御モジュールであって、
該バスを介して該コンピュータ装置に接続された第２マイクロプロセッサと、
該第２マイクロプロセッサに接続されると共に、第２オペレーションシステムのコアプログラムが保存されたマルチメディア起動及び再生システムメモリと、
該第２マイクロプロセッサに接続されたマルチメディア再生バッファメモリと、
インスタントキーインタフェース回路を介して該第２マイクロプロセッサに接続され、各インスタントキーが指定されたマルチメディア再生装置に対応する、少なくとも一つのインスタントキーと、
を包含する上記マルチメディア再生制御モジュールと、
を包含し、第２マイクロプロセッサが任意のインスタントキーが押圧操作されたことを検出した時、第２マイクロプロセッサがマルチメディア起動及び再生システムメモリ中より第２オペレーションシステムのコアプログラムをマルチメディア再生バッファメモリ中にロードし実行し、並びに操作されたインスタントキーが対応するマルチメディア再生装置の駆動プログラム及びマルチメディア再生装置のアプリケーションプログラムをロードし実行することを特徴とする、デュアルプロセッサを具えたマルチメディアコンピュータシステムとしている。
請求項２の発明は、請求項１記載のデュアルプロセッサを具えたマルチメディアコンピュータシステムにおいて、マルチメディアデータ読み取り装置がオーディオＣＤ読み取り装置、デジタル音楽読み取り装置、オーディオビデオディスク読み取り装置、或いはテレビ信号受信装置のいずれか或いはその組合せを包含したことを特徴とする、デュアルプロセッサを具えたマルチメディアコンピュータシステムとしている。
請求項３の発明は、請求項１記載のデュアルプロセッサを具えたマルチメディアコンピュータシステムにおいて、インスタントキーが対応するマルチメディア再生装置の駆動プログラムとマルチメディア再生装置のアプリケーションプログラムがマルチメディア再生制御モジュールのマルチメディア起動及び再生システムメモリ中に保存されたことを特徴とする、デュアルプロセッサを具えたマルチメディアコンピュータシステムとしている。
請求項４の発明は、請求項１記載のデュアルプロセッサを具えたマルチメディアコンピュータシステムにおいて、インスタントキーが対応するマルチメディア再生装置の駆動プログラムとマルチメディア再生装置のアプリケーションプログラムが前記コンピュータ装置のデータ保存媒体中に保存されたことを特徴とする、デュアルプロセッサを具えたマルチメディアコンピュータシステムとしている。
請求項５の発明は、コンピュータシステムのマルチメディアインスタントプレイ方法において、コンピュータ装置中に第１マイクロプロセッサと、該第１マイクロプロセッサに接続されたデータ保存媒体、システムメモリ、基本入出力システム、少なくとも一つのマルチメディア再生装置、バスがあり、該データ保存媒体中に第１オペレーションシステムが保存され、該コンピュータ装置にマルチメディア再生制御モジュールが接続され、且つ該マルチメディア再生制御モジュール中に第２マイクロプロセッサ、第２オペレーションシステムのコアプログラムを保存したマルチメディア起動及び再生システムメモリ、マルチメディア再生バッファメモリ、及び該第２マイクロプロセッサに接続された少なくとも一つのインスタントキーがあり、各インスタントキーが指定されたマルチメディア再生装置に対応し、この方法は、
（ａ）該インスタントキーの被操作状態を検出するステップ、
（ｂ）該インスタントキーが操作されたことを検出した時、該第２マイクロプロセッサがマルチメディア起動及び再生システムメモリ中より第２オペレーションシステムのコアプログラムをマルチメディア再生バッファメモリ中にロードし並びに実行するステップ、  （ｃ）操作されたインスタントキーに対応するマルチメディア再生装置の駆動プログラム及びマルチメディア再生装置のアプリケーションプログラムをロード及び実行するステップ、
（ｄ）操作されたインスタントキーに対応するマルチメディア再生装置を動作させるステップ、
を包含することを特徴とする、コンピュータシステムのマルチメディアインスタントプレイ方法としている。
請求項６の発明は、請求項５記載のコンピュータシステムのマルチメディアインスタントプレイ方法において、（ｃ）のステップで、インスタントキーが対応するマルチメディア再生装置の駆動プログラム及びマルチメディア再生装置のアプリケーションプログラムを前記コンピュータ装置のデータ保存媒体中よりロードすることを特徴とする、コンピュータシステムのマルチメディアインスタントプレイ方法としている。
請求項７の発明は、請求項５記載のコンピュータシステムのマルチメディアインスタントプレイ方法において、（ｃ）のステップで、インスタントキーが対応するマルチメディア再生装置の駆動プログラム及びマルチメディア再生装置のアプリケーションプログラムを前記マルチメディア再生制御モジュール中のマルチメディア起動及び再生システムメモリ中よりロードすることを特徴とする、コンピュータシステムのマルチメディアインスタントプレイ方法としている。
【発明の効果】
【００１３】
本発明の設計によると、一つのコンピュータシステム中にデュアルプロセッサが配置され、そのうち一つのプロセッサがそのうち一種類のオペレーションシステムの操作を請け負い、もう一つのプロセッサがもう一種類のオペレーションシステムの操作を請け負い、マルチメディア再生、装置駆動等の操作の急速起動を請け負う。ゆえに、マルチメディアデータの読み取り及び再生速度の方面では、遥かに一般のマルチメディアコンピュータがマルチメディア再生機能を実行する速度より速く、デュアルプロセッサがそれぞれ異なるオペレーションシステムの操作を処理することで、異なるシステムの操作の実行を確保して、相互に影響を与えないようにすると共に、急速起動及び安定化の機能を達成する。
【発明を実施するための最良の形態】
【００１４】
図１は本発明の第１実施例のシステム機能ブロック図である。本発明のコンピュータ装置１００は、第１マイクロプロセッサ１１、第１バスブリッジ１２、第２バスブリッジ１３を包含し、そのうち、該第１マイクロプロセッサ１１はシステムバスを介して第１バスブリッジ１２に接続され、第１バスブリッジ１２にシステムメモリ１４が接続され、並びにディスプレイインタフェース１５０を介してディスプレイ１５が接続されている。
【００１５】
第２バスブリッジ１３に基本入出力システムメモリ１６が接続されている。該基本入出力システムメモリ１６中にはコンピュータ装置の起動時に必要な基本入出力システムプログラム１６１（ＢＩＯＳプログラム）及びＰＯＳＴ（パワーオンセルフテスト）プログラム１６２が保存されている。
【００１６】
第２バスブリッジ１３にバス１３０を介してマルチメディア再生制御モジュール２が接続されている。バス１３０にはデータバス、アドレスバス及びコントロールバスが包含される。該マルチメディア再生制御モジュール２は第２マイクロプロセッサ２１を包含し、該第２マイクロプロセッサ２１はインスタントキー検出インタフェース２２でインスタントキーセット２３に接続されている。該インスタントキーセット２３は複数のインスタントキー２４、２５、２６、２７を包含し、ユーザーの操作を第２マイクロプロセッサ２１が認識した後、対応するオーディオＣＤ、デジタル音楽、オーディオビデオディスク再生、或いはテレビ放送の機能を起動する。各インスタントキーは所定マルチメディア再生制御モジュール動作を起動する制御キーに割り当てられる。
【００１７】
該第２マイクロプロセッサ２１にマルチメディア起動及び再生システムメモリ２８が接続され、該マルチメディア起動及び再生システムメモリ２８はメモリチップ（Ｄｉｓｋ
ｏｎ  Ｃｈｉｐ）、フラッシュメモリ（Ｆｌａｓｈ  ＲＯＭ）或いはその他のデータ保存機能を具えた装置とされうる。該マルチメディア起動及び再生システムメモリ２８中に第２オペレーションシステム２８１及び第２オペレーションシステム２８１のコアプログラム２８２（Ｋｅｒｎｅｌ）が保存されている。該第２オペレーションシステム２８１はＬｉｎｕｘ（登録商標）オペレーションシステム（Ｌｉｎｕｘ−ｂａｓｅｄ  Ｏｐｅｒａｔｉｎｇ  Ｓｙｓｔｅｍ）とされうるほか、その他のタイプのオペレーションシステム、例えば、タイニーウインドウス（登録商標）オペレーションシステム（Ｔｉｎｙ  Ｗｉｎｄｏｗｓ（登録商標）−ｂａｓｅｄ  Ｏｐｅｒａｔｉｎｇ  Ｓｙｓｔｅｍ）、或いはその他のエンベッドオペレーションシステム（Ｅｍｂｅｄｄｅｄ  Ｏｐｅｒａｔｉｎｇ  Ｓｙｓｔｅｍ）とされうる。
【００１８】
該マルチメディア起動及び再生システムメモリ２８中には、少なくとも一種類のマルチメディア再生装置の駆動プログラム２８３及びマルチメディア再生装置のアプリケーションプログラム２８４が保存され、例えばマルチメディア再生装置の駆動プログラム２８３は、オーディオＣＤ読み取り装置駆動プログラム、デジタル音楽読み取り装置駆動プログラム、オーディオビデオディスク読み取り装置駆動プログラム、或いはテレビ信号受信装置駆動プログラムを包含可能で、マルチメディア再生装置のアプリケーションプログラムは、オーディオＣＤ再生アプリケーションプログラム、デジタル音楽再生アプリケーションプログラム、オーディオビデオディスク再生アプリケーションプログラム、或いはテレビ放送アプリケーションプログラムを包含しうる。
【００１９】
該第２マイクロプロセッサ２１にはマルチメディア再生バッファメモリ２９が接続され、マルチメディアデータを読み取る。図２に示されるのは、該マルチメディア読み取り装置３の詳細な装置内容表示図である。本発明の実施例では、該マルチメディア読み取り装置３は、オーディオＣＤ読み取り装置３ａ、デジタル音楽読み取り装置３ｂ、オーディオビデオディスク読み取り装置３ｃ、或いはテレビ信号受信装置３ｄを包含可能で、それらはそれぞれ、オーディオＣＤインタフェース回路３０ａ、デジタル音楽インタフェース回路３０ｂ、オーディオビデオディスクインタフェース回路３０ｃ、或いはテレビインタフェース回路３０ｄを介してバス１３０に接続されている。
【００２０】
実際の製品化の時、該マルチメディア読み取り装置３はオーディオＣＤ読み取り装置３ａ、デジタル音楽読み取り装置３ｂ、オーディオビデオディスク読み取り装置３ｃ、或いはテレビ信号受信装置３ｄのいずれか一つの装置或いはその組合せを包含しうる。
【００２１】
該バス１３０にはさらにサウンド装置４が接続され、該サウンド装置４はスピーカ４１を包含し、該スピーカ４１はサウンドインタフェース４０でバス１３０に接続されている。テレビチューナー５もバス１３０に接続され、該スピーカ４１及びテレビチューナー５は本発明のマルチメディア再生装置の一つであり、画像表示機能方面では、マルチメディア再生装置は該コンピュータ装置１００のディスプレイ１５を包含する。
【００２２】
本発明を実施する時、前述のマルチメディア再生制御モジュール２がコンピュータ装置１００のマザーボードにビルトインされるか、或いはインタフェースカードの製品形態でコンピュータ装置１００のバススロット中に挿入されるか、或いは適宜周辺装置中に配置される。
【００２３】
図３は本発明の実施例の制御フローチャートである。図１のシステム機能ブロック図と合わせて本発明の制御フローについて以下に詳しく説明する。
【００２４】
コンピュータ装置１００の正常起動時（ステップ１０１）、コンピュータ装置１００はまずシステム基本起動プロセスを実行する（ステップ１０２）。このとき、該コンピュータ装置１００は基本入出力システムメモリ１６中より基本入出力システムプログラム１６１及びＰＯＳＴ（パワーオンセルフテスト）プログラム１６２をロードする。該コンピュータ装置１００がシステム起動及びセルフテストプロセスを完成した後、該コンピュータ装置１００はハードディスク１７中の第１オペレーションシステム１７１をロード及び実行し（ステップ１０３）、該コンピュータ装置１００は正常なコンピュータ操作モードに進入する（ステップ１０４）。その後、ユーザーは一般のコンピュータ装置の操作方式で該コンピュータ装置を操作できる。
【００２５】
ユーザーがマルチメディア再生の機能を実行したい時は、インスタントキーセット２３中の任意のインスタントキーを押圧すれば、そのインスタントキーに対応するオーディオＣＤ、デジタル音楽、オーディオビデオディスクの再生、或いはテレビ放送の機能を速やかに実行できる。即ち、第２マイクロプロセッサ２１がインスタントキーセット２３中の任意のインスタントキー２４、２５、２６、２７が押圧操作されたことを検出（ステップ１０５）する時、第２マイクロプロセッサ２１はマルチメディア起動及び再生システムメモリ２８中の第２オペレーションシステムのコアプログラム２８２をマルチメディア再生バッファメモリ２９中にロードしそれを実行する（ステップ１０６）。前述のコアプログラム２８２は圧縮ファイルの形態で該マルチメディア起動及び再生システムメモリ２８中に保存可能であり、それにより必要な保存空間を縮減できる。マルチメディア再生バッファメモリ２９へのロードの前には、該コアプログラム２８２の圧縮を解凍しなければならない。
【００２６】
その後、第２マイクロプロセッサ２１がユーザーが押圧操作したインスタントキーセット２３中のインスタントキーが対応するマルチメディア読み取り装置３によりマルチメディア起動及び再生システムメモリ２８中にマルチメディア再生装置の駆動プログラム及びマルチメディア再生装置のアプリケーションプログラムをロード及び実行する（ステップ１０７）。こうして、コンピュータ装置１００はマルチメディアインスタントプレイモードに進入する（ステップ１０８）。
【００２７】
マルチメディアインスタントプレイモードにあって、オーディオＣＤ読み取り装置３ａ、デジタル音楽読み取り装置３ｂが読み取ったオーディオデータはサウンドインタフェース回路を介してスピーカ４１により再生される。オーディオビデオディスク読み取り装置３ｃ、或いはテレビ信号受信装置３ｄが読み取ったオーディオデータもまた、サウンドインタフェース回路４０を介してスピーカ４１により再生され、そのビデオデータはコンピュータ装置１００のディスプレイインタフェース１５０を通してディスプレイ１５に表示される。
【００２８】
図４は本発明のデュアルプロセッサを具えたマルチメディアコンピュータシステムの第２実施例のシステムブロック図である。この実施例にあって、その大部分の部品は図１に示される回路部品と同じであるが、その違いは、ハードディスク１７中に第１オペレーションシステム１７１のほか、少なくとも一種類のマルチメディア再生装置の駆動プログラム１７２及びマルチメディア再生装置のアプリケーションプログラム１７３が保存され、例えば、該マルチメディア再生装置の駆動プログラム１７２中に、オーディオＣＤ読み取り装置駆動プログラム、デジタル音楽読み取り装置駆動プログラム、オーディオビデオディスク読み取り装置駆動プログラム、或いはテレビ信号受信装置駆動プログラムが包含され、マルチメディア再生装置のアプリケーションプログラム１７３は、オーディオＣＤ読み取り装置アプリケーションプログラム、デジタル音楽読み取り装置アプリケーションプログラム、オーディオビデオディスク読み取り装置アプリケーションプログラム、或いはテレビ信号受信装置アプリケーションプログラムが包含される。該マルチメディア再生制御モジュール２中のマルチメディア起動及び再生システムメモリ２８中には第２オペレーションシステム２８１及びそのコアプログラム２８２のみが保存され、マルチメディアデータ再生装置の駆動プログラム及びマルチメディア再生装置のアプリケーションプログラムは保存されていない。
【００２９】
図５は図４の実施例の制御フローチャートである。この実施例のフロー中、その大部分のステップは図３に示されるものと同じであり、その違いは、マルチメディア再生装置の駆動プログラム及びマルチメディア再生装置のアプリケーションプログラムがコンピュータ装置１００中のハードディスク１７よりロードされることにある。即ち、第２マイクロプロセッサ２１がインスタントキーセット２３中の任意のキー２４、２５、２６、２７が押圧操作されたことを検出した時（ステップ１０５）、第２マイクロプロセッサ２１はマルチメディア起動及び再生システムメモリ２８中の第２オペレーションシステムのコアプログラム２８２をマルチメディア再生バッファメモリ２９中にロードしそれを実行する（ステップ１０６）。
【００３０】
その後、第２マイクロプロセッサ２１が更にユーザーの押圧操作したインスタントキーに対応するマルチメディアデータ読み取り装置３によりコンピュータ装置１００中のハードディスク１７中にマルチメディア再生装置の駆動プログラム１７２及びマルチメディア再生装置のアプリケーションプログラム１７３をロードし実行する（ステップ１０７ａ）。こうして、コンピュータ装置１００をマルチメディアインスタントプレイモードに進入させる（ステップ１０８）。
【００３１】
以上の実施例の説明は、本発明の好ましい実施例の説明にすぎず、本発明の技術の属する分野における通常の知識を有するものであれば、上述の実施例の説明に基づきその他の各種の改良及び変化をなしうる。しかしこれらの本発明の実施例に基づきなしうる各種の改良及び変化は、本発明の精神及び規定する請求範囲内に属するものとする。
【図面の簡単な説明】
【００３２】
【図１】本発明の第１実施例のシステム機能ブロック図である。
【図２】本発明のマルチメディアデータ読み取り装置の詳細な内容表示図である。
【図３】図１の実施例の制御フローチャートである。
【図４】本発明の第２実施例のシステム機能ブロック図である。
【図５】図４の実施例の制御フローチャートである。
【符号の説明】
【００３３】
１００  コンピュータ装置
１１  第１マイクロプロセッサ
１２  第１バスブリッジ
１３  第２バスブリッジ
１３０  バス
１４  システムメモリ
１４１  ランダムアクセスディスク領域
１５  ディスプレイ
１５０  ディスプレイインタフェース
１６  基本入出力システムメモリ
１６１  基本入出力システムプログラム
１６２  ＰＯＳＴ（パワーオンセルフテスト）プログラム
１７  ハードディスク
１７０  ハードディスクインタフェース
１７１  第１オペレーションシステム
１７２  マルチメディア再生装置の駆動プログラム
１７３  マルチメディア再生装置のアプリケーションプログラム
２  マルチメディア再生制御モジュール
２１  第２マイクロプロセッサ
２２  インスタントキー検出インタフェース
２３  インスタントキーセット
２４、２５、２６、２７  インスタントキー
２８  マルチメディア起動及び再生システムメモリ
２８１  第２オペレーションシステム
２８２  コアプログラム
２８３  マルチメディア再生装置の駆動プログラム
２８４  マルチメディア再生装置のアプリケーションプログラム
２９  マルチメディア再生バッファメモリ
３  マルチメディアデータ読み取り装置
３ａ  オーディオＣＤ読み取り装置
３ｂ  デジタル音楽読み取り装置
３ｃ  オーディオビデオディスク読み取り装置
３ｄ  テレビ信号受信装置
３０ａ  オーディオＣＤインタフェース回路
３０ｂ  デジタル音楽インタフェース回路
３０ｃ  オーディオビデオディスクインタフェース回路
３０ｄ  テレビインタフェース回路
４  サウンド装置
４０  サウンドインタフェース回路
４１  スピーカ
５  テレビチューナー
【図１】
2007052764.tif 000003
【図２】
2007052764.tif 000004
【図３】
2007052764.tif 000005
【図４】
2007052764.tif 000006
【図５】
2007052764.tif 000007